(57)【要約】【課題】バラスト水が海域の生態系に影響を与える可能性を、より確実に低減するための技術を提供する。【解決手段】バラスト水処理装置１０１は、バラスト水を貯留するバラストタンク５からバラスト水を排出するための排出経路（ライン２１，２３，１１，１２，１４，１５，１９，２２）と、排出経路を通るバラスト水に紫外線を照射する紫外線照射装置３とを備える。バラスト水が排出経路を通ってバラストタンク５から排出される際に、紫外線照射装置３が紫外線をバラスト水に照射する。これによりバラスト水中の微生物を殺滅することができる。バラスト水を排出する直前にバラスト水の浄化処理を行なうことができるので、海域の生態系に影響を与える可能性を、より確実に低減することができる。【選択図】図２３
2014227064.tif 000002
【特許請求の範囲】
【請求項１】
バラスト水を貯留するバラストタンクから前記バラスト水を排出するための排出経路と、
紫外線ランプを含み、前記排出経路を通る前記バラスト水に紫外線を照射する紫外線照射装置と、
前記バラスト水が循環しかつ前記紫外線ランプからの紫外線を受けるように形成された循環経路と、
前記バラスト水の流れる経路を前記循環経路と前記排出経路との間で切換えるための切換部と、
前記紫外線ランプの点灯処理の間には前記バラスト水が前記循環経路に流れるように前記切換部を制御し、前記紫外線ランプの点灯が完了すると前記バラスト水が前記排出経路を流れるように前記切換部を制御する制御装置とを備える、バラスト水処理装置。
【請求項２】
前記紫外線ランプの前記点灯処理において、前記制御装置は、前記紫外線ランプに供給される電力が、前記紫外線ランプにとっての最大電力に達すると、前記切換部による、前記循環経路から前記排出経路への切換を可能にする、請求項１に記載のバラスト水処理装置。
【請求項３】
前記紫外線ランプは、前記排出経路および前記循環経路に共通する経路に設けられ、
前記制御装置は、前記バラストタンクからの前記バラスト水の排出後に、前記紫外線ランプを消灯するとともに、前記バラスト水の経路を、前記排出経路から前記循環経路へと切換える、請求項１または請求項２に記載のバラスト水処理装置。
【請求項４】
前記バラスト水処理装置は、
前記バラスト水を前記バラストタンクに貯留するときに、前記バラスト水を濾過するとともに濾過されたバラスト水を前記紫外線照射装置に供給する濾過装置をさらに備え、
前記循環経路および前記排出経路は、前記濾過装置を迂回する共通の経路を含む、請求項１から３のいずれか１項に記載のバラスト水処理装置。
【請求項５】
請求項１に記載のバラスト水処理装置と、
前記バラスト水を貯留するバラストタンクと、
前記バラストタンクから前記バラスト水を汲み出して、前記バラスト水を前記排出経路に送出するポンプとを備える、バラスト水管理システム。
【請求項６】
前記バラスト水処理装置を迂回して、前記バラストタンクに対して海水を出し入れするためのバイパスシステムをさらに備える、請求項５に記載のバラスト水管理システム。
【発明の詳細な説明】
【技術分野】
【０００１】
本発明は、船舶に貯留されるバラスト水を処理するための装置およびバラスト水を処理するための装置を備えたバラスト水管理システムに関する。
【背景技術】
【０００２】
バラスト水は、空荷状態の船舶が海洋を安全に航行するために船舶に積載される海水である。バラスト水は、船舶の出港地において、その船舶の周囲の海域から取水されて船舶に積み込まれる。一方、バラスト水は、その船舶の寄港地において船外に排出される。
【０００３】
バラスト水は、当該バラスト水が取水された海域と異なる海域に排出される。バラスト水中の生物は、本来の生息地ではない海域に移動させられる。このためバラスト水中の生物が、そのバラスト水の排出される海域の生態系に影響を及ぼすという問題が生じる。
【０００４】
この問題を解決するために、バラスト水を浄化処理する種々の方法が検討されている。たとえば特開２０１３−２３１８７号公報（特許文献１）は、バラスト水の無害化処理を確実にかつ効率よく行なうことを目的としたバラスト水処理装置を開示する。この処理装置は、フィルタと、紫外線照射ユニットとを備える。バラスト水処理ラインに通された被処理水は、まずフィルタを通される。次に被処理水は、紫外線照射ユニットを通る。被処理水が紫外線照射ユニットを通る際に、被処理水に紫外線が照射される。これにより被処理水が殺菌される。
【０００５】
上記の装置は、被処理水の濁度が非常に高い状態では紫外線の照射量が十分でないという問題を解決するためのものである。具体的には、上記文献に開示された処理装置は、紫外線ランプの照度が所定照度に達するまでは、汲み上げられた被処理水を、紫外線照射ユニットを通さずに船外に排出する。紫外線ランプの照度が所定照度に達すると、汲み上げられた被処理水は、紫外線照射ユニットを通されて、バラストタンクへ注水される。
【先行技術文献】
【特許文献】
【０００６】
【特許文献１】特開２０１３−２３１８７号公報
【発明の概要】
【発明が解決しようとする課題】
【０００７】
特開２０１３−２３１８７号公報は、バラスト水の取水時に、微生物の殺滅のためにバラスト水に紫外線が照射されることを開示する。しかし、バラスト水中の微生物を完全に殺滅できていないままバラスト水がバラストタンクに貯留されている可能性も考えられる。したがって海に排出されるバラスト水が海域の生態系に影響を与える可能性は否定できない。バラスト水が海域の生態系に影響を与える可能性を、より確実に低減するための技術が要求される。
【０００８】
本発明の目的は、バラスト水が海域の生態系に影響を与える可能性を、より確実に低減するための技術を提供することである。
【課題を解決するための手段】
【０００９】
本発明のある局面に従うバラスト水処理装置は、バラスト水を貯留するバラストタンクからバラスト水を排出するための排出経路と、紫外線ランプを含み、排出経路を通る前記バラスト水に紫外線を照射する紫外線照射装置と、バラスト水が循環しかつ紫外線ランプからの紫外線を受けるように形成された循環経路と、バラスト水の流れる経路を循環経路と排出経路との間で切換えるための切換部と、紫外線ランプの点灯処理の間にはバラスト水が循環経路に流れるように切換部を制御し、紫外線ランプの点灯が完了するとバラスト水が排出経路を流れるように切換部を制御する制御装置とを備える。
【００１０】
このような構成によれば、バラスト水が排出経路を通ってバラストタンクから排出される際に、紫外線照射装置が紫外線をバラスト水に照射する。これによりバラスト水中の微生物を殺滅することができる。バラスト水を排出する直前にバラスト水の浄化処理を行なうことができるので、海域の生態系に影響を与える可能性を、より確実に低減することができる。さらに、紫外線ランプの点灯処理の間は、バラスト水が循環経路を通ることで、バラスト水処理装置から排出されない。紫外線ランプの点灯処理が完了して、紫外線の照射量が十分な状態で、バラスト水は紫外線を受けるとともにバラスト水処理装置から排出される。これによって、バラスト水中に含まれる微生物を殺滅する効果を高めることができる。
【００１１】
なお、循環経路と排出経路とは、一部が共通であってもよく、互いに独立に配置されていてもよい。
【００１２】
好ましくは、紫外線ランプの点灯処理において、制御装置は、紫外線ランプに供給される電力が、紫外線ランプにとっての最大電力に達すると、切換部による、循環経路から排出経路への切換を可能にする。
【００１３】
このような構成によれば、紫外線の照射処理が可能になるまでに要する時間を短くすることができる。たとえばバラストタンクからバラスト水の汲み上げを開始した直後においては、バラスト水の濁度が一時的に高くなる可能性がある。紫外線ランプに供給される電力を紫外線ランプにとっての最大電力とすることで、バラスト水への紫外線の照射量を上げることができる。したがって、紫外線ランプの点灯開始から短時間で、紫外線の照射処理を開始することができる。
【００１４】
好ましくは、紫外線ランプは、排出経路および循環経路に共通する経路に設けられる。制御装置は、バラストタンクからのバラスト水の排出後に、紫外線ランプを消灯するとともに、バラスト水の経路を、排出経路から循環経路へと切換える。
【００１５】
このような構成によれば、紫外線ランプの消灯後に、紫外線照射装置を通過する海水によって紫外線ランプを冷却することができる。
【００１６】
好ましくは、バラスト水処理装置は、バラスト水をバラストタンクに貯留するときに、バラスト水を濾過するとともに濾過されたバラスト水を紫外線照射装置に供給する濾過装置をさらに備える。循環経路および排出経路は、濾過装置を迂回する共通の経路を含む。
【００１７】
このような構成によれば、濾過装置によって濾過されたバラスト水がバラストタンクに貯留される。これにより、バラスト水をバラストタンクから排出する際には、濾過装置を迂回する経路にバラスト水を通すことで、濾過装置による濾過を不要とすることができる。したがって、バラスト水の排出時の処理を簡素化することができる。
【００１８】
本発明の他の局面に従うバラスト水管理システムは、上記のバラスト水処理装置と、バラスト水を貯留するバラストタンクと、バラストタンクからバラスト水を汲み出して、バラスト水を排出経路に送出するポンプとを備える。
【００１９】
このような構成によれば、バラスト水を排出する直前にバラスト水の浄化処理を行なうことができるので、海域の生態系に影響を与える可能性を、より確実に低減することができる。
【００２０】
好ましくは、バラスト水管理システムは、バラスト水処理装置を迂回して、バラストタンクに対して海水を出し入れするためのバイパスシステムをさらに備える。
【００２１】
このような構成によれば、バラスト水処理装置によって海水を処理することが必要とされない場合、あるいは、バラスト水処理装置によって海水を処理することができない場合などにおいても、バラストタンクに対して海水を出し入れすることができる。
【発明の効果】
【００２２】
本発明によれば、バラスト水が海域の生態系に影響を与える可能性を、より確実に低減することが可能となる。
【図面の簡単な説明】
【００２３】
【図１】本発明の実施の形態に係るバラスト水管理システムの全体図である。
【図２】バラスト水処理装置本体側の制御盤の１つの構成例を概略的に示した図である。
【図３】船舶のブリッジ側の制御盤の１つの構成例を概略的に示した図である。
【図４】図１に示した濾過装置の構成例を説明する図である。
【図５】図４のＶ−Ｖ線に沿った断面図である。
【図６】図４に示されたフィルタの代表的な構成を説明する斜視模式図である。
【図７】図１に示した紫外線照射装置の構成例を示した図である。
【図８】バラスト水処理装置側の制御装置の設定と、ブリッジ側の制御装置の設定との組合わせによって決定される制御内容を説明するための図である。
【図９】図８に示された制御の流れを示したフローチャートである。
【図１０】バラスト水処理装置の動作の流れを説明するためのフローチャートである。
【図１１】本発明の実施の形態に係る、バラスト水の取水時の処理を説明するフローチャートである。
【図１２】図１１のステップＳ１０１の処理を説明するための図である。
【図１３】図１１のステップＳ１０２の処理を説明するための図である。
【図１４】図１１のステップＳ１０３の処理を説明するための図である。
【図１５】取水時におけるＵＶランプの点灯処理を説明するための図である。
【図１６】図１１のステップＳ１０４の処理を説明するための図である。
【図１７】図１１のステップＳ１０５およびステップＳ１０６の処理を説明するための図である。
【図１８】図１１のステップＳ１０７の処理の一部を説明するための図である。
【図１９】図１８に示す処理に続く処理を説明するための図である。
【図２０】本発明の実施の形態に係る、バラスト水の排水時の処理を説明するフローチャートである。
【図２１】図２０のステップＳ２０１，Ｓ２０２の処理を説明するための図である。
【図２２】排水時におけるＵＶランプの点灯処理を説明するための図である。
【図２３】図２１のステップＳ２０３の処理を説明するための図である。
【図２４】図２１のステップＳ２０４の処理を説明するための図である。
【図２５】バイパスモードでのバラスト水の取水を説明するための図である。
【図２６】バイパスモードでのバラスト水の排水を説明するための図である。
【図２７】濾過装置のフィルタの逆洗浄を行なうための１つの構成例を示した図である。
【発明を実施するための形態】
【００２４】
以下、本発明の実施の形態について、図面を参照しながら詳細に説明する。なお、図中同一または相当部分には同一符号を付してその説明は繰り返さない。
【００２５】
また、この実施の形態において、「バラスト水」とは、バラストタンクに貯留される海水を意味する。したがってこの明細書では、バラスト水が海水であることを明示するために「バラスト水（海水）」と表記することがある。
【００２６】
また、この実施の形態において、「被処理水」とは、本実施の形態に係るバラスト水処理装置によって処理される海水を意味する。以下に説明するように、この実施の形態では、「被処理水」は、海域からバラスト水処理装置に取り込まれた海水だけでなく、「バラスト水」も含む。また、バラスト水および被処理水を特に区別する必要がない場合には「海水」との用語を用いることがある。
【００２７】
＜バラスト水管理システムの構成＞
図１は、本発明の実施の形態に係るバラスト水管理システムの全体図である。図１を参照して、本発明の実施の形態に係るバラスト水管理システム１００は、図示しない船舶に設置される。バラスト水管理システム１００は、船舶の出港時に、その船舶の周囲の海域から海水を取水して、その海水をバラスト水としてバラストタンク５に貯留する。一方、バラスト水管理システム１００は、その船舶の寄港地において、バラストタンク５に貯留されたバラスト水を船外の海域に排出する。バラストタンク５は複数の区画に分けられていてもよい。
【００２８】
バラスト水管理システム１００は、バラスト水処理装置１０１と、バイパスシステム１０２と、制御装置１１１，１１２とを備える。バラスト水処理装置１０１とバイパスシステム１０２とは、バラスト水管理システム１００の主な構成要素であり、バラスト水管理装置として構成されることができる。
【００２９】
バラスト水処理装置１０１は、船舶の周囲の海域から海水を取水する際に、その海水を浄化する処理を行なう。さらにバラスト水処理装置１０１は、バラストタンク５からバラスト水（海水）を排出する際に、バラストタンクに貯留されたバラスト水を浄化する処理を行なうことができる。この実施の形態において「浄化」とは、海水に含まれる微生物の除去、殺滅および不活性化を含む。
【００３０】
一方、バイパスシステム１０２は、船舶の周囲の海域から海水を取水する際に、バラスト水処理装置１０１を迂回して、その取水した海水をバラストタンク５に積み込むことができる。さらに、バイパスシステム１０２は、バラストタンク５からバラスト水（海水）を排出する際に、バラスト水処理装置１０１を迂回して、そのバラスト水を海に排出することができる。すなわち、バイパスシステム１０２は、バラスト水処理装置１０１を迂回してバラストタンク５に対してバラスト水を出し入れするための経路を形成する。バイパスシステム１０２によって、バラスト水処理装置１０１によって海水を処理することが必要とされない場合、あるいは、バラスト水処理装置１０１によって海水を処理することができない場合などにおいても、バラストタンク５に対して海水を出し入れすることができる。
【００３１】
バラスト水処理装置１０１と、バイパスシステム１０２とは、一部の要素を共通に有している。船舶がバイパスシステム１０２を既に搭載している場合には、バラスト水処理装置１０１を追加することによって、本発明の実施の形態に係るバラスト水管理システム１００を実現することができる。したがって既存の設備を大幅に変更することなく本発明の実施の形態に係るバラスト水管理システム１００を船舶に設置することができる。
【００３２】
バラスト水処理装置１０１は、バラストポンプ１と、濾過装置２と、紫外線照射装置３と、排水ポンプ４と、海水を通すためのライン１０〜２２と、バルブ３１〜３６，４０，４１，４４と、流量計５１，５２，５３とを備える。各ラインは配管によって実現される。
【００３３】
ライン１０は、海域から海水を取得するためのラインである。ライン１１は、バラストポンプ１に流入する海水を通すためのラインである。ライン１２は、バラストポンプ１から流出する海水を通すためのラインである。バラストポンプ１は、ライン１０，１１から海水を吸入して、ライン１２に海水を排出する。
【００３４】
ライン１２は、ライン１３とライン１４とに分岐される。ライン１３は、濾過装置２に海水を導入するためのラインである。ライン１４は、濾過装置２を迂回して、ライン１５に合流する経路を形成する。バルブ３２は、ライン１３に流れる海水の流量を制御する。バルブ３３は、ライン１４に流れる海水の流量を制御する。
【００３５】
濾過装置２は、ライン１３を通じて流入した海水を濾過する。濾過された海水はライン１５を通じて濾過装置２から流出される。ライン１５は、濾過装置２によって濾過された海水を紫外線照射装置３に導く。すなわちライン１５は、濾過装置２によって濾過された海水を紫外線照射装置３に供給するための経路を形成する。流量計５２は、ライン１５を流れる海水の流量を計測する。
【００３６】
一方、濾過装置２によって濾過されなかった海水は、ライン１６を通じて濾過装置２から排出される。ライン１７はライン１６から分岐される。ライン１６〜１８は、濾過装置２に残留する海水を排出するための排水経路を形成する。
【００３７】
ライン１７は、ライン１６から流入した海水を海へと排出するためのラインである。バルブ３５はライン１７に設けられて、ライン１７を流れる海水の流量を制御する。
【００３８】
ライン１６は、排水ポンプ４の流入口に接続される。ライン１８は、排水ポンプ４から流出する海水を通すためのラインである。ライン１８は、ライン１７と合流する。
【００３９】
排水ポンプ４から排出された海水は、ライン１８を流れて海へと排出される。バルブ３６は、ライン１８に設けられて、ライン１８を流れる海水の流量を制御する。流量計５２は、ライン１８を流れる海水の流量を計測する。
【００４０】
排水ポンプ４はバラストポンプ１に比べて小型である。すなわち排水ポンプ４の吐出能力は、バラストポンプ１の吐出能力よりも小さい。小型のポンプを排水ポンプ４に適用することで、バラスト水処理装置１０１の小型化を図ることができる。
【００４１】
紫外線照射装置３は、図示しないＵＶ（紫外線）ランプを含む。ライン１５を流れる海水は紫外線照射装置３を通される。紫外線ランプは、紫外線照射装置３を通る海水に紫外線を照射する。被処理水は、フィルタ６１で濾過された上で、紫外線照射装置３において紫外線を受ける。このために小型のＵＶランプを使用しても、濾過された海水中に生息する微生物を殺滅する効果を得ることができる。小型のＵＶランプを紫外線照射装置３に用いることによって、装置の小型化、消費電流の節約等の利点を得ることができる。
【００４２】
ライン１９は、紫外線照射装置３から流出する海水を通すためのラインである。ライン２０は、紫外線照射装置３から流出する海水をライン１９から分岐して、バラストタンク５に導くためのラインである。ライン２１はバルブ４０を介してライン２０と接続される。ライン２１は、バラストタンク５に海水を注入するためのラインである。すなわち、ライン１９，２０，２１は、紫外線照射装置３から出た被処理水をバラストタンク５に供給するための経路を形成する。
【００４３】
なお、ライン２１は、バラストタンク５から海水を排出するためのラインでもある。流量計５２は、ライン２１を流れる海水の流量を計測する。
【００４４】
ライン２２は、ライン１９から分岐されて、紫外線照射装置３からライン１９を通じて流入した海水を海へと排出するための経路を形成する。バルブ４１はライン２２に設けられて、ライン２２を流れる海水の流量を制御する。
【００４５】
バルブ３１，３２，３３，３５，３６，４０，４１の各々は、たとえば比例制御弁である。各バルブの開度は、そのバルブに入力される信号によって制御される。バルブ３４は、たとえば開閉弁である。バルブ３４に入力される信号に応じて、バルブ３４は、その状態を開状態と閉状態との間で切り換える。なお、バルブ３４は比例制御弁でもよい。
【００４６】
バイパスシステム１０２は、バラストポンプ１と、ライン１０〜１２，２０〜２４と、バルブ３１，４０〜４３とを備える。バラスト水処理装置と同様に、各ラインは、配管によって実現される。バラストポンプ１と、ライン１０，１１，１２，２０，２１と、バルブ３１，４０とは、バラスト水処理装置１０１とバイパスシステム１０２とで共通の構成要素である。したがってこれらについての詳細な説明は以後繰り返さない。
【００４７】
ライン２３は、バルブ４２を介してライン２１に接続される。バルブ４２は、ライン２３を流れる海水の流量を制御する。
【００４８】
ライン２４は、ライン１９から分岐されてライン１２に接続される。バルブ４３は、ライン２４に設けられて、ライン２４を流れる海水の流量を制御する。
【００４９】
バルブ４２，４３は、たとえば比例制御弁であり、入力信号の大きさに応じてその開度を変化させる。
【００５０】
バラスト水管理システム１００は、さらに、制御装置１１１，１１２を備える。制御装置１１１，１１２は、操作者（図示せず）によって操作可能である。操作者による制御装置の操作は、その制御装置に対して操作者の指示を入力することに相当する。
【００５１】
制御装置１１１，１２２は、操作者からの指示を受け付けて、その指示に従ってバラスト水管理システム１００を制御する。すなわち制御装置１１１，１１２は、バラスト水管理システムの動作モードを設定するための設定装置でもある。具体的には、制御装置１１１，１１２は、バラストポンプ１および排水ポンプ４の駆動および停止を制御する。さらに制御装置１１１，１１２は、図１に示された各バルブの開／閉あるいは開度を制御する。さらに、制御装置１１１，１１２は、紫外線照射装置３に含まれるＵＶランプ（図示せず）の点灯および消灯を制御する。
【００５２】
制御装置１１１，１１２は、通信機能を有する。制御装置１１１は、自身に対する設定を把握するとともに、その設定に関する情報を制御装置１１２に送信することができる。同様に、制御装置１１２は、自身に対する設定を把握するとともに、その設定に関する情報を制御装置１１１に把握することができる。したがって制御装置１１１，１１２を互いに離れた場所に設置することができる。
【００５３】
たとえば制御装置１１１は、バラスト水処理装置１０１のそばに設置される。一方、制御装置１１２は、たとえばブリッジ（船橋）に設置される。このような制御装置１１１，１１２の配置に従うと、操作者は、制御装置１１２によってバラスト水管理装置（バラスト水処理装置１０１およびバイパスシステム１０２）を遠隔制御することができる。
【００５４】
操作者は、制御装置１１１，１１２のいずれか一方を操作することによって、バラスト水管理システム１００の動作および停止を制御することができる。さらに、操作者は、制御装置１１１，１１２のいずれか一方を操作することによって、バラスト水管理システム１００の動作モードを、バラスト水処理モード（この実施の形態では「ＢＷＭＳ」モードと呼ぶ）と、「ＢＹＰＡＳＳ」（バイパス）モードとの間で切り換えることができる。バラスト水処理モードとは、バラスト水処理装置１０１を動作させるモードである。バイパスモードとは、バラスト水処理装置１０１を停止させる一方で、バイパスシステム１０２を動作させるモードである。
【００５５】
さらに、バラスト水管理システム１００の動作モードがＢＷＭＳモードである場合には、操作者は、制御装置１１１，１１２のいずれか一方を操作することによって、処理モードを切り換えることができる。この実施の形態では、処理モードは、「マニュアルモード」と、「Ｂａｌｌａｓｔモード」と、「Ｄｅ−Ｂａｌｌａｓｔモード」とを含む。
【００５６】
「マニュアルモード」とは、操作者が制御装置１１１，１１２のいずれかに対して特定のバルブを指定するとともに、そのバルブの開／閉あるいは開度を指定するモードである。「Ｂａｌｌａｓｔモード」は、バラスト水管理システム１００が海から海水を取り込み、その海水を処理してバラストタンク５に注入する処理を行なうモードである。「Ｄｅ−Ｂａｌｌａｓｔモード」は、バラスト水管理システム１００がバラストタンク５に貯留するバラスト水（海水）を海に排出する処理を行なうモードである。「Ｂａｌｌａｓｔモード」および「Ｄｅ−Ｂａｌｌａｓｔモード」では、各バルブは、制御装置１１１または１１２によって自動的に制御される。
【００５７】
１つの実施形態では、制御装置１１１，１１２は制御盤として実現される。図２は、バラスト水処理装置本体側の制御盤の１つの構成例を概略的に示した図である。図２を参照して、制御装置１１１（制御盤）は、表示パネル１２１と、バイパスランプ１２２と、ＢＷＭＳイネーブルランプ１２３と、動作モードスイッチ１２４と、処理モードスイッチ１２５と、ＢＷＭＳ準備ランプ１２６と、ＢＷＭＳスタートボタン１２７と、ＢＷＭＳストップボタン１２８と、非常停止ボタン１２９とを有する。
【００５８】
表示パネル１２１は、たとえば、バラスト水管理システム１００の動作状況を表示する。１つの実施の形態では、表示パネル１２１は、タッチパネルの機能を備える。これにより操作者は表示パネル１２１（タッチパネル）に触れることで各種の設定を制御装置１１１に入力することができる。
【００５９】
バイパスランプ１２２は、バラスト水管理システム１００の動作モードがバイパスモードであることを表示するためのランプである。バラスト水管理システム１００の動作モードがバイパスモードである場合には、バイパスランプ１２２が点灯する。一方、バラスト水管理システム１００の動作モードがＢＷＭＳモードである場合、あるいは制御装置１１１と制御装置１１２とでバラスト水管理システム１００の動作モードの設定が異なる場合には、バイパスランプ１２２は消灯する。
【００６０】
ＢＷＭＳイネーブルランプ１２３は、バラスト水処理装置１０１を使用可能な状態を表示するためのランプである。「バラスト水処理装置１０１を使用可能な状態」とは、制御装置１１１と制御装置１１２ともに、バラスト水管理システム１００の動作モードがＢＷＭＳモードに設定された状態である。この場合にはＢＷＭＳイネーブルランプ１２３が点灯する。
【００６１】
一方、制御装置１１１と制御装置１１２とでバラスト水管理システム１００の動作モードの設定が異なる場合には、バラスト水処理装置１０１は使用不可の状態である。この場合には、ＢＷＭＳイネーブルランプ１２３は点滅する。また、バラスト水管理システム１００の動作モードがバイパスモードである場合には、ＢＷＭＳイネーブルランプ１２３は消灯する。このようにＢＷＭＳイネーブルランプ１２３は、点灯、点滅および消灯によって、表示態様を異ならせる。これにより操作者は、制御装置１１１と制御装置１１２との間で動作モードの設定が一致しているか否かを容易に把握することができる。
【００６２】
動作モードスイッチ１２４は、操作者がバラスト水処理装置１０１の動作モードを制御装置１１１に指示するためのスイッチである。具体的には、動作モードスイッチ１２４は、バラスト水処理装置１０１の動作モードを、バイパスモードと、ＢＷＭＳモードとの間で切り換えることができるように構成される。
【００６３】
処理モードスイッチ１２５は、ＢＷＭＳモードが選択された場合に、操作者がバラスト水処理装置１０１の処理モードを制御装置１１１に指示するためのスイッチである。具体的には、処理モードスイッチ１２５は、バラスト水処理装置１０１の処理モードを、マニュアルモードと、Ｂａｌｌａｓｔモードと、Ｄｅ−Ｂａｌｌａｓｔモードとの間で切り換えることができるように構成される。
【００６４】
ＢＷＭＳ準備ランプ１２６は、バラスト水処理装置１０１の起動時に点滅する。バラスト水処理装置１０１の起動が完了すると、ＢＷＭＳ準備ランプ１２６は点滅の周期を短くする。なお、ＢＷＭＳ準備ランプ１２６は、バラスト水処理装置１０１が起動中であることと、バラスト水処理装置１０１の起動が完了したこととを区別できるように光ればよい。したがって、ＢＷＭＳ準備ランプ１２６は、バラスト水処理装置１０１の起動時に点灯し、バラスト水処理装置１０１の起動が完了すると点滅してもよい。「点灯」とは連続的に光を発する状態を意味し、「点滅」とは、光を発する状態と光を発していない状態とが交互に繰り返される状態を意味する。
【００６５】
ＢＷＭＳスタートボタン１２７は、操作者がバラスト水処理装置１０１による海水の浄化処理の開始を制御装置１１１に指示するための操作ボタンである。ＢＷＭＳストップボタン１２８は、操作者がバラスト水処理装置１０１による海水の浄化処理の停止を制御装置１１１に指示するための操作ボタンである。操作者がＢＷＭＳスタートボタン１２７を押すことによって、制御装置１１１は、海水を浄化する処理の開始の指示を受け付ける。操作者がＢＷＭＳストップボタン１２８を押すことによって、制御装置１１１は、海水を浄化する処理の停止の指示を受け付ける。
【００６６】
非常停止ボタン１２９は、緊急時にバラスト水処理装置１０１の動作を停止するための操作ボタンである。
【００６７】
図３は、船舶のブリッジ側の制御盤の１つの構成例を概略的に示した図である。図３を参照して、制御装置１１２（制御盤）は、表示パネル１３１と、動作モードスイッチ１３２と、ＢＷＭＳ準備ランプ１３３と、スタートボタン１３４と、非常停止ボタン１２９とを有する。
【００６８】
表示パネル１３１は、バラスト水管理システム１００の動作状況を表示する。たとえば、表示パネル１３１は、操作者によって設定された動作モードを表示する。
【００６９】
図２に示す表示パネル１２１と同様に、１つの実施形態では、表示パネル１３１は、タッチパネルの機能を備えることができる。これにより図２に示す制御装置１１１が有する機能を表示パネル１３１（タッチパネル）によって実現することができる。たとえば動作モードがＢＷＭＳモードに設定された場合に、操作者は、表示パネル１３１（タッチパネル）に触れることで処理モードを選択することができるとともに、その選択された処理モードを制御装置１１２に指示することができる。このときには、表示パネル１３１は、その選択された処理モードを表示することができる。
【００７０】
動作モードスイッチ１３２は、図２に示す動作モードスイッチ１２４と同じく、操作者がバラスト水処理装置１０１の動作モードを制御装置１１２に指示するためのスイッチである。動作モードスイッチ１３２は、バラスト水処理装置１０１の動作モードを、バイパスモードと、ＢＷＭＳモードとの間で切り換えることができるように構成される。
【００７１】
ＢＷＭＳ準備ランプ１３３は、図２に示すＢＷＭＳ準備ランプ１２６と同じ動作を行なう。すなわち、ＢＷＭＳ準備ランプ１３３は、バラスト水処理装置１０１の起動時に点滅する。バラスト水処理装置１０１の起動が完了すると、ＢＷＭＳ準備ランプ１３３は点滅の周期を短くする。
【００７２】
スタートボタン１３４は、選択された動作モードでのバラスト水管理システム１００の動作を、操作者が制御装置１１２に対して指示するための操作ボタンである。非常停止ボタン１３５は、緊急時にバラスト水処理装置１０１の動作を停止するための操作ボタンである。
【００７３】
なお、図２および図３に示されるように、制御装置１１１と制御装置１１２とでは、構成が異なっているがこのように限定される必要はない。制御装置１１１と制御装置１１２とが同じ構成を備えていてもよい。また、以下の説明では、表示パネル１２１，１３１は、タッチパネルであり、操作者の操作を受け付けることができるものとする。
【００７４】
＜バラスト水処理装置の構成＞
図４は、図１に示した濾過装置２の構成例を説明する図である。図５は、図４のＶ−Ｖ線に沿った断面図である。
【００７５】
図４および図５を参照して、被処理水である海水は、図１のライン１３に対応する被処理水流路６６を通り、ケース６３の内部へ供給される。ケース６３の内部には、円筒形状のフィルタ６１が設けられている。軸線Ｃはフィルタ６１（円筒）の中心軸を示す。言い換えると、フィルタ６１は、軸線Ｃを囲むように配置されている。
【００７６】
モータ９０は、フィルタ６１の中心軸と接続される。モータ９０は、駆動装置（図示せず）から電力が供給されることによって、軸線Ｃを中心としてフィルタ６１を回転させる。モータ９０は、モータカバー９１で覆われている。なお、モータ９０は、たとえば制御装置１１１によって制御される。
【００７７】
フィルタ６１の円筒上下面は水密に塞がれている。回転自在な取り付け構造は、同じく水密構造とする必要があるが、特に限定されることなく既知の構造が用いられる。
【００７８】
ケース６３は、フィルタ６１の全体を覆う。ケース６３は、外筒部７１と、蓋部７２と、底部７３とを有する。底部７３には、図１のライン１６に対応する排出流路６５が設けられる。ケース６３の内部には、被処理水としての海水を導入するために、被処理水流路６６と、被処理水ノズル６２とが設けられる。また、ケース６３の蓋部には、薬液注入口７０が設けられている。ただしケース６３に薬液注入口を設けることは必須ではない。
【００７９】
被処理水ノズル６２は、被処理水流路６６から延設されるように構成される。被処理水ノズル６２の先端にノズル口６７が形成される。ノズル口６７は、ケース６３の外筒部７１の中に配置される。被処理水がノズル口６７からフィルタ６１の外周面に向けて流出するように、ノズル口６７が形成される。
【００８０】
中心配管８０は、軸線Ｃ上に配置される。中心配管８０は、中心配管８０は、図１のライン１５に相当する濾過水流路６４に接続される。なお、中心配管８０は回転しない。
【００８１】
図６は、図４に示されたフィルタ６１の代表的な構成を説明する斜視模式図である。図５および図６を参照して、フィルタ６１はプリーツフィルタである。平面帯状の基材を山谷交互に折りたたむことによって、いわゆるプリーツ形状が形成される。プリーツ状に形成された基材の両端をつなぎ合わせることで、円筒状のプリーツフィルタが形成される。
【００８２】
フィルタの基材には多孔質樹脂シートが用いられる。多孔質樹脂シートの材質として例えば、ポリエステル、ナイロン、ポリエチレン、ポリプロピレン、ポリウレタン、ポリテトラフルオロエチレン（ＰＴＦＥ）、ポリフッ化ビニリデン（ＰＶｄＦ）等からなる延伸多孔質体、相分離多孔体、不織布等の多孔質構造物が利用される。高流量での濾過処理を行なうために、ポリエチレンテレフタレートなどのポリエステルからなる不織布が特に好適に用いられる。
【００８３】
再び図４を参照して、被処理水は被処理水流路６６を通り、被処理水ノズル６２のノズル口６７から噴出する。ノズル口６７から噴出した被処理水は、フィルタ６１の円筒外部から円筒内部へと透過される。これによって被処理水が濾過される。フィルタ６１を透過して濾過された被処理水は、中心配管８０に設けられた取水穴８１を通して濾過水流路６４に導かれて、濾過装置２の外部に流出される。
【００８４】
一方、フィルタ６１によって濾過されなかった被処理水および、ケース６３の底部７３に沈殿した濁質分は、排出流路６５を通じて濾過装置２の外部に排出される。このように濁質分、あるいは残った被処理水が連続的に排出されつつ濾過が行われる。これにより、バラスト水の処理量として要求される処理量（たとえば１０〜２０ｔｏｎ／時間、さらには１００ｔｏｎ／時間）を確保することができる。
【００８５】
以上の動作において、フィルタ６１の外周面には濁質が付着する。図４に示す構成によれば、モータ９０がフィルタ６１を回転させる。ノズル口６７から噴出した被処理水は、回転するフィルタ６１の外周面に当たる。被処理水の圧力および回転する水流によって、フィルタ６１の外周面には常に水流が生じる。これによってフィルタ６１に付着した濁質分が除去されやすい。すなわち、この実施の形態によれば、被処理水を濾過する効果に加えて、一定の洗浄効果も得ることができる。
【００８６】
図７は、図１に示した紫外線照射装置３の構成例を示した図である。図７を参照して、紫外線照射装置３は、ケース１４１と、ＵＶランプ１４２と、ランプ電源１４３と、照度センサ１４４ａ，１４４ｂ，１４４ｃとを備える。
【００８７】
ケース１４１は、ライン１５とライン１９との間に配置される。ケース１４１はＵＶランプ１４２を収容する。ライン１５，１９により、紫外線照射装置３の内部を被処理水が通過する。
【００８８】
ＵＶランプ１４２は、ケース１４１の内部を通過する被処理水に紫外線を照射する。上記のように、ＵＶランプ１４２の点灯および消灯は、制御装置１１１または制御装置１１２によって制御される。
【００８９】
照度センサ１４４ａ〜１４４ｃは、ＵＶランプ１４２から発せられて被処理水を透過した紫外線の照度を計測する。各照度センサによって検出された照度は、その照度センサから制御装置１１１へと送られる。制御装置１１１は、照度センサ１４４ａ〜１４４ｃの検出結果に基づいて、ＵＶランプ１４２の最大電力に対する割合を、ランプ電源１４３に対して指示する。ランプ電源１４３は、指示された割合に従う電力をＵＶランプ１４２に供給する。
【００９０】
＜バラスト水管理システムの制御＞
１．動作モードの設定
上記のように、バラスト水管理システム１００の動作モードを設定する目的において、バラスト水管理システム１００の操作者は、制御装置１１１と制御装置１１２とのいずれも操作可能である。バラスト水管理システム１００の設定（および監視）を行なうための装置が１つしかない場合、操作者は、操作者が制御装置１１１の設置場所に移動しなければならない。船舶のような大きな建造物の場合、操作者が制御装置１１１の設置場所に移動するための労力が大きくなる可能性がある。
【００９１】
この実施の形態によれば、バラスト水管理システム１００は、操作者がバラスト水管理システム１００の動作モードの設定（および監視）を行なうための複数の制御装置を有する。この複数の制御装置を船舶に分散して配置することができる。これにより、操作者は、自身の近くに配置された制御装置を利用することができる。したがって操作者の利便性を高めることができる。
【００９２】
一方、バラスト水管理システム１００の動作モードの設定が制御装置１１１，１１２のどちらでも可能であるために、ある時点において、制御装置１１１と制御装置１１２との間で動作モードの設定が異なりることが起こりえる。具体的に説明すると、図２に示す動作モードスイッチ１２４の設定と、図３に示す動作モードスイッチ１３２の設定とが異なる場合が生じ得る。
【００９３】
この実施の形態では、制御装置１１１と制御装置１１２との間でバラスト水管理システム１００の動作モードの設定が同じである場合に、バラスト水管理システム１００は、その動作モードでの動作を許可する。バラスト水管理システム１００は、その設定された動作モードに従って動作可能である。一方、制御装置１１１と制御装置１１２との間で動作モードの設定が異なる場合に、バラスト水管理システム１００は、制御装置１１１と制御装置１１２とに設定された動作モードでの動作をいずれも不許可とする。
【００９４】
１つの実施の形態では、制御装置１１１がバラスト水管理システム１００の動作の許可および禁止を判断する。具体的に説明すると、制御装置１１１は、制御装置１１１における、バラスト水管理システム１００の動作モードの設定を確認する。さらに制御装置１１１は、制御装置１１２から、制御装置１１２における、バラスト水管理システム１００の動作モードの設定に関する情報を取得する。制御装置１１１は、制御装置１１２における設定が制御装置１１１での設定と一致する場合に、バラスト水管理システム１００が、その動作モードで動作することを許可する。
【００９５】
上記の制御によって、バラスト水管理システム１００を正しい動作モードで動作させることができる。「正しい動作モード」とは、操作者の意図する動作モードである。言い換えると、上記の制御によって、操作者の意図しない動作モードでバラスト水管理システム１００が動作することを防ぐことができる。
【００９６】
制御装置１１１と制御装置１１２とで動作モードの設定が異なる場合の制御としては別の制御も考えられる。たとえば制御装置１１１における設定を、常に制御装置１１２における設定に対して優先することが考えられる。つまり、制御装置１１１と制御装置１１２とで設定が異なる場合には、制御装置１１１における設定が常に正しいと判断される。
【００９７】
しかしながら、制御装置１１１と制御装置１１２とで設定が異なり、かつ、制御装置１１２に対する設定が操作者の意図する設定であった場合、が異なっていた場合には、誤った（操作者の意図しない）動作モードをバラスト水管理システム１００に対して設定することになる。
【００９８】
この実施の形態では、制御装置１１１と制御装置１１２とで動作モードの設定が一致する場合に、バラスト水管理システム１００が、その動作モードで動作可能となる。したがって、誤った動作モードでバラスト水管理システム１００が動作することを防止できる。
【００９９】
さらに、操作者が制御装置１１１，１１２の一方（たとえば制御装置１１１）に対してバラスト水管理システム１００の動作モードを設定したにもかかわらず、バラスト水管理システム１００が動作しない場合には、操作者は、制御装置１１１，１１２の他方（たとえば制御装置１１２）において、操作者の意図する動作モードとは異なるモードが設定されていることを把握することができる。この場合、操作者は、たとえば制御装置１１２の近くにいる別の操作者に対して、制御装置１１２の動作モードの設定を修正するように伝えることで制御装置１１２の設定を修正することができる。
【０１００】
制御装置１１１，１１２は、ともに、バラスト水管理システム１００の動作の許可および禁止を判断して、その判断結果を交換してもよい。制御装置１１１，１１２同士で判断結果が一致する場合に、制御装置１１１，１１２の一方（たとえば制御装置１１１）は、その判断結果に従って、バラスト水管理システム１００の動作を許可または禁止する。この場合にも、操作者の意図しない動作モードでバラスト水管理システム１００が動作することを防ぐことができる。
【０１０１】
図８は、バラスト水処理装置１０１側の制御装置１１１の設定と、ブリッジ側の制御装置１１２の設定との組合わせによって決定される制御内容を説明するための図である。
【０１０２】
図８を参照して、「装置本体側」はバラスト水処理装置１０１側に設置された制御装置１１１を示す。「ブリッジ側」はブリッジ側に設置された制御装置１１２を示す。
【０１０３】
制御装置１１１の動作モードスイッチ１２４および制御装置１１２の動作モードスイッチ１３２がともにＢＷＭＳモードに設定されている場合には、制御装置１１１のＢＷＭＳイネーブルランプ１２３が点灯する。この場合、バラスト水処理装置１０１が使用可能である。したがって、バラスト水管理システム１００は、ＢＷＭＳモードでの動作を許可する。
【０１０４】
制御装置１１１の動作モードスイッチ１２４および制御装置１１２の動作モードスイッチ１３２がともにＢＹＰＡＳＳ（バイパス）モードに設定されている場合には、制御装置１１１のバイパスランプ１２２が点灯する。この場合、バラスト水処理装置１０１は使用不可状態であり、バラスト水管理システム１００は、バイパスモードでの動作を許可する。
【０１０５】
制御装置１１１の動作モードスイッチ１２４および制御装置１１２の動作モードスイッチ１３２の一方がＢＷＭＳモードに設定され、他方がＢＹＰＡＳＳモードに設定されている場合には、制御装置１１１のＢＷＭＳイネーブルランプ１２３が点滅する。この場合、バラスト水処理装置１０１、バイパスシステム１０２のいずれの動作も不許可となる。また、バラスト水管理システム１００の起動も不許可となる。
【０１０６】
図９は、図８に示された制御の流れを示したフローチャートである。１つの実施の形態において、この制御は、制御装置１１１によって実行される。図９を参照して、ステップＳ１において、制御装置１１１は、「装置本体側」の制御装置（すなわち制御装置１１１）および「ブリッジ側」の制御装置（すなわち制御装置１１２）における動作モードの設定（動作モードスイッチ１２４）がともにＢＷＭＳモードであるか否かを判定する。
【０１０７】
制御装置１１１および制御装置１１２の設定がともにＢＷＭＳモードである場合（ステップＳ１においてＹＥＳ）、処理はステップＳ２に進む。ステップＳ２において、制御装置１１１は、バラスト水管理システム１００の動作モードをＢＷＭＳモードに決定する。したがってバラスト水管理システム１００はＢＷＭＳモードでの動作を許可する。
【０１０８】
次にステップＳ３において、制御装置１１１は、バラスト水処理装置１０１を使用可能状態に設定する。具体的には、制御装置１１１は、操作者による制御装置１１１または制御装置１１２の操作を受付ける。したがって、操作者が処理モードスイッチ１２５を操作した場合には、バラスト水処理装置１０１は、処理モードスイッチ１２５によって設定された処理モードでの動作が可能となる。また、ＢＷＭＳスタートボタン１２７およびＢＷＭＳストップボタン１２８を操作することによって、バラスト水処理装置１０１による被処理水の処理を開始および停止させることができる。また、制御装置１１２では、スタートボタン１３４が操作されることで、バラスト水処理装置１０１による被処理水の処理を開始させることができる。
【０１０９】
続いてステップＳ４において、制御装置１１１は、ＢＷＭＳイネーブルランプ１２３を点灯させる。
【０１１０】
一方、制御装置１１１および制御装置１１２の少なくとも一方の動作モードが、ＢＷＭＳモードとは異なるモードに設定されている場合（ステップＳ１においてＮＯ）、処理はステップＳ５に進む。
【０１１１】
ステップＳ５において、制御装置１１１は、制御装置１１１（装置本体側）および制御装置１１２（ブリッジ側）における、バラスト水管理システム１００の動作モードの設定が、ともにＢＹＰＡＳＳ（バイパス）モードであるか否かを判定する。制御装置１１１および制御装置１１２ともに設定がＢＹＰＡＳＳモードである場合（ステップＳ５においてＹＥＳ）、処理はステップＳ６に進む。
【０１１２】
ステップＳ６において、制御装置１１１は、バラスト水管理システム１００の動作モードをＢＹＰＡＳＳモードに決定する。これによりバラスト水管理システム１００はＢＹＰＡＳＳモードでの動作を許可する。
【０１１３】
次にステップＳ７において、制御装置１１１は、バラスト水処理装置１０１を使用不可状態に設定する。具体的には、制御装置１１１は、処理モードスイッチ１２５によるバラスト水処理装置１０１の処理モードの設定を無効にする。またＢＷＭＳスタートボタン１２７およびＢＷＭＳストップボタン１２８の操作を無効にする。一方、制御装置１１２では、スタートボタン１３４が操作されることで、バラスト水管理システム１００をバイパスモードで動作させることができる。
【０１１４】
続いてステップＳ８において、制御装置１１１は、バイパスランプ１２２を点灯させる。
【０１１５】
制御装置１１１（装置本体側）および制御装置１１２（ブリッジ側）における動作モードの設定がともにＢＷＭＳモードでなく、ともにバイパスモードでもない場合（ステップＳ５においてＮＯ）、処理はステップＳ９に進む。この場合、制御装置１１１および制御装置１１２の一方では、バラスト水管理システム１００の動作モードがＢＷＭＳモードに設定され、他方では、バラスト水管理システム１００の動作モードがバイパスモードに設定されている。すなわち、制御装置１１１と制御装置１１２との間で設定が異なっている。
【０１１６】
ステップＳ９において、制御装置１１１は、バラスト水処理装置１０１を使用不可状態に設定する。ステップＳ９の処理は、ステップＳ７の処理と同様であるので以後の詳細な説明は繰り返さない。なお、バイパスシステム１０２も使用不可とされる。したがってバラスト水管理システム１００は、ＢＷＭＳモードおよびＢＹＰＡＳＳモードのいずれの動作モードでの動作も不許可とする。
【０１１７】
ステップＳ１０において、制御装置１１１は、ＢＷＭＳイネーブルランプ１２３を点滅させる。
【０１１８】
図１０は、バラスト水処理装置１０１の動作の流れを説明するためのフローチャートである。図１０を参照して、ステップＳ１１において、バラスト水処理装置１０１は起動指示を受付ける。具体的には、操作者は、制御装置１１１および制御装置１１２の動作モードをともにＢＷＭＳモードに設定する。これにより、制御装置１１１は、操作者からの起動指示を受付ける。
【０１１９】
ステップＳ１２において、バラスト水処理装置１０１は処理モードを選択する。具体的には、制御装置１１１は、操作者による処理モードスイッチ１２５の設定に従う処理モードを選択する。これにより、マニュアルモード、Ｂａｌｌａｓｔモード、Ｄｅ−Ｂａｌｌａｓｔモードの中から１つの処理モードが選択される。
【０１２０】
ステップＳ１３において、バラスト水処理装置１０１は、バラストポンプ１を作動させる。この処理は、たとえば操作者が、制御装置１１１の表示パネル１２１、制御装置１１２の表示パネル１３１での操作を通じて制御装置１１１または１１２にバラストポンプ１の作動指示を入力することにより開始される。
【０１２１】
ステップＳ１４において、制御装置１１１は、ＢＷＭＳ準備ランプ１２６（図１０では単に「準備ランプ」と表記する）を点滅させる。
【０１２２】
ステップＳ１５において、制御装置１１１は、紫外線照射装置３のＵＶランプ１４２（図７を参照）を点灯させる。
【０１２３】
ステップＳ１６において、ＵＶランプ１４２の点灯が完了する。ステップＳ１７において、制御装置１１１は、ＢＷＭＳ準備ランプ１２６を早く点滅させる。すなわち、ＢＷＭＳ準備ランプ１２６の点滅の周期が短くなる。
【０１２４】
ステップＳ１８において、制御装置１１１は、バラスト水処理装置１０１の処理開始指示を受付ける。すなわち操作者が、制御装置１１１のＢＷＭＳスタートボタン１２７を押すと、制御装置１１１に処理開始指示が入力される。あるいは操作者が制御装置１１２のスタートボタン１３４を押すと、制御装置１１２から制御装置１１１に処理開始指示が入力される。
【０１２５】
ステップＳ１９において、バラスト水処理装置１０１は、ステップＳ１２の処理によって選択されたモードでの処理を実行する。ステップＳ２０においてその処理が完了する。
【０１２６】
ステップＳ２１において、制御装置１１１は、バラスト水処理装置１０１の停止指示を受付ける。すなわち操作者が、制御装置１１１のＢＷＭＳストップボタン１２８を押すと、制御装置１１１に停止指示が入力される。あるいは操作者が制御装置１１２の表示パネル１３１を操作することにより、制御装置１１２から制御装置１１１に停止指示が入力される。ステップＳ２２において、制御装置１１１は、バラストポンプ１を停止させる。
【０１２７】
２．ＢＷＭＳモードでの処理（Ｂａｌｌａｓｔモード）
図１１は、本発明の実施の形態に係る、バラスト水の取水時の処理を説明するフローチャートである。図１および図１１を参照して、バラスト水の取水時の処理の概要を説明する。まず、ステップＳ１０１において、バラスト水処理装置１０１は、バラストポンプ１の駆動を開始させる。バラストポンプ１は海から被処理水として海水を取水する。被処理水はバラストポンプ１から濾過装置２に流入する。このときに、濾過装置２では被処理水（海水）を用いてフィルタ６１の洗浄が行なわれる。フィルタ６１を洗浄した後の被処理水は海へと戻される。
【０１２８】
ステップＳ１０２において、バラスト水処理装置１０１は、排水ポンプ４の駆動を開始させる。ステップＳ１０３において、バラスト水処理装置１０１は、紫外線照射装置３のＵＶランプ１４２の点灯を開始する。さらに濾過装置２は被処理水の濾過を開始する。ただし、ＵＶランプ１４２の点灯が完了するまでは、濾過装置２で濾過された被処理水は、紫外線照射装置３を通るものの、バラストタンク５には送られずに海へと戻される。
【０１２９】
ＵＶランプ１４２の照度が所定照度に達すると、ＵＶランプ１４２の点灯処理が完了する。続いて処理はステップＳ１０４に進む。
【０１３０】
ステップＳ１０４において、バラストタンク５に被処理水がバラスト水として供給される。すなわち、紫外線照射装置３から出た被処理水はバラストタンク５に送られる。
【０１３１】
ステップＳ１０５において、バラストタンク５へのバラスト水の供給が停止される。たとえば操作者がバラストタンク５内のバラスト水の水位を確認して、バラスト水の供給を停止するための操作を行なう。この操作は、制御装置１１１のＢＷＭＳストップボタン１２８を押すという操作でもよい。あるいは、操作者は制御装置１１２の表示パネル１３１を操作してもよい。
【０１３２】
ステップＳ１０６において、バラスト水処理装置１０１は、紫外線照射装置３のＵＶランプ１４２を消灯させる。濾過装置２によって濾過された被処理水は、紫外線照射装置３を通り、海へと戻される。次に、濾過装置２での被処理水の濾過が終了する。１つの実施の形態では、このときに、被処理水の濾過の終了後に、濾過装置２では、被処理水（海水）を用いてフィルタ６１の洗浄を行なう。
【０１３３】
ステップＳ１０７において、バラスト水処理装置１０１は、排水ポンプ４を停止させる。ステップＳ１０８において、バラスト水処理装置１０１は、バラストポンプ１を停止させる。ステップＳ１０８の処理が終了すると、全体の処理が終了する。
【０１３４】
続いて、各ステップの処理について詳細に説明する。なお、以下の説明では、操作者は制御装置１１１を操作するものとする。しかしながら、操作者が、制御装置１１２のスイッチ、ボタン、表示パネル（タッチパネル）等を操作することでも同様の処理を実行することができる。
【０１３５】
図１２は、図１１のステップＳ１０１の処理を説明するための図である。図１２を参照して、制御装置１１１は、バラストポンプ１の駆動を開始する。一方、排水ポンプ４は停止したままである。制御装置１１１は、バルブ３１，３２，３５を開状態に設定するとともに、他のバルブを閉状態に設定する。
【０１３６】
被処理水は、バラストポンプ１によって海から取水され、ライン１０，１１，を通る。被処理水は、バラストポンプ１からライン１２，１３を通じて濾過装置２に流入する。被処理水はライン１６を通じて濾過装置２から排出される。なお、バルブ３４が閉じているので、被処理水はライン１５を通じて濾過装置２から流出しない。
【０１３７】
濾過装置２は、被処理水を用いて、フィルタ６１の洗浄を行なう。図４を参照して既に説明したように、モータ９０によってフィルタ６１を回転させながら、ノズル口６７から被処理水を噴出する。被処理水の圧力および回転する水流によって、フィルタ６１に付着した濁質分を除去する。
【０１３８】
このように本実施の形態では、濾過装置２によって濾過された海水を紫外線照射装置３に供給するのに先立ち、バルブ３４を閉じた状態で、濾過装置２に導入される海水（被処理水）を用いてフィルタ６１を洗浄する。バラストタンク５にバラスト水を供給するのに先立って、フィルタ６１が洗浄される。これにより、バラスト水の処理能力が低下するという問題を防ぐことができる。
【０１３９】
さらに、被処理水は、ライン１６，１７，１８を通じて海へと戻される。これによってライン１６，１７，１８を構成する配管を洗浄することもできる。
【０１４０】
図１３は、図１１のステップＳ１０２の処理を説明するための図である。図１３を参照して、制御装置１１１は、排水ポンプ４の駆動を開始させる。処理モードがＢａｌｌａｓｔモードの場合、制御装置１１１は、バラストポンプ１の駆動に続いて、自動的に（たとえば一定時間の経過後に）排水ポンプ４を駆動させることができる。一方、処理モードがマニュアルモードの場合、制御装置１１１は、操作者の指示が入力されると排水ポンプ４を駆動させる。制御装置１１１は、さらに、バルブ３６を開状態に設定する。
【０１４１】
制御装置１１１は、流量計５２から、ライン１８を流れる被処理水の流量を示す信号を受ける。制御装置１１１は、たとえばライン１８を流れる被処理水の流量が２０ｍ３／ｈとなるように、バルブ３６の開度を制御する。なお、流量を示す数値は一例であって、ライン１８を流れる被処理水の流量は、これに限定されるものではない。
【０１４２】
濾過装置２から排出された被処理水は、ライン１６からライン１７，１８を通じて海へと戻される。排水ポンプ４の排水量は、バラストポンプ１の吐出量に比べて小さい。したがって、バラストポンプ１から濾過装置２に供給される被処理水を海へと排出するために、ライン１８だけでなくライン１７も使用される。なお、ステップＳ１０１と同様に、フィルタ６１が洗浄される。
【０１４３】
図１４は、図１１のステップＳ１０３の処理を説明するための図である。図１４を参照して、制御装置１１１は、バルブ３４を開くとともにバルブ３５を閉じる。これにより、濾過装置２によって濾過された被処理水がライン１５に送られる。図４を参照して既に説明したように、被処理水は、フィルタ６１の外周面からフィルタ６１の内周面へ透過することで濾過される。濾過された被処理水は、中心配管８０に設けられた取水穴８１を通して濾過水流路６４に導かれて、ライン１５を通じて紫外線照射装置３へと送られる。
【０１４４】
さらに、制御装置１１１は、紫外線照射装置３のＵＶランプ１４２の点灯を開始する。ＵＶランプ１４２の照度が所定の照度に達するまでにはある程度の時間を要する。したがって、被処理水への紫外線の照射量が、非処理水に含まれる微生物あるいは細菌の殺滅にとって不十分となる可能性がある。このため、制御装置１１１は、バルブ４０を閉じるとともにバルブ４１を開く。紫外線照射装置３を通過した被処理水は、ライン１９およびライン２２を通り、海へと戻される。したがって、紫外線の照射量が不十分である（言い換えると殺滅の効果が不十分である）被処理水がバラストタンク５へと送られることを防ぐことができる。
【０１４５】
また、紫外線照射装置３に被処理水を通すことでＵＶランプ１４２を冷却することができる。これにより、通電状態にあるＵＶランプ１４２の過熱を抑えることができる。
【０１４６】
図１５は、取水時におけるＵＶランプの点灯処理を説明するための図である。図７および図１５を参照して、時刻ｔ１において、海域からバラスト水処理装置１０１への被処理水の汲み上げが開始される。被処理水の汲み上げ開始直後は、たとえば被処理水に空気の泡が含まれるなどの理由によって、被処理水に対する紫外線の照射量が十分ではない可能性がある。したがって照度センサ１４４ａ〜１４４ｃで検知される紫外線の照度が低い。制御装置１１１は、ＵＶランプ１４２の照度が最大となるように、ＵＶランプ１４２に供給される電力を制御する。具体的には、制御装置１１１は、ＵＶランプ１４２の最大電力に対する、ＵＶランプ１４２への供給電力の割合を１００％に設定する。制御装置１１１は、ランプ電源１４３に対して、その割合（つまり１００％）を指示する。このような処理によってＵＶランプ１４２の点灯処理に要する時間を短縮することができる。
【０１４７】
時刻ｔ２において、ＵＶランプ１４２に供給される電力が、最大電力に達する。制御装置１１１は、ＵＶランプ１４２の供給電力を徐々に下げる。したがってＵＶランプ１４２の照度は、ピークに一旦達し、その後、徐々に低下する。時刻ｔｓにおいて、照度センサ１４４ａ〜１４４ｃで検出された照度が目標値に達する。これにより、ＵＶランプ１４２の点灯処理が完了する。
【０１４８】
時刻ｔｓ以後、制御装置１１１は、ＵＶランプ１４２の照度が目標値に保たれるようにランプ電源１４３を制御する。好ましくは、ＵＶランプ１４２に供給される電力量は、被処理水中の微生物あるいは細菌を殺滅するために必要な最低限の照度が得られるように予め設定された電力量である。これにより、ＵＶランプ１４２の消費電力を節約することができる。
【０１４９】
このように、制御装置１１１は、ＵＶランプ１４２の照度が最大値となるように、ＵＶランプ１４２に供給される電力を制御し、ＵＶランプの照度が最大値に達すると、ＵＶランプ１４２の照度を目標値に向けて減少させる。
【０１５０】
図１６は、図１１のステップＳ１０４の処理を説明するための図である。図１１を参照して、制御装置１１１は、バルブ４０，４４を開くとともにバルブ４１を閉じる。被処理水は、濾過装置２によって濾過され、紫外線照射装置３によって紫外線を受ける。紫外線が照射された被処理水は、バラスト水としてバラストタンク５に蓄えられる。
【０１５１】
制御装置１１１は、流量計５４が示す流量に基づいて、バルブ４０，４１の開度を設定する。この構成によれば、バラストポンプ１と濾過装置２との間にバルブ３２が設けられている。バラストポンプ１からは、ある吐出圧で被処理水が吐出されている。しかし、バルブ３２を被処理水が通過した後は、被処理水の圧力が低下する。濾過装置２に流入する被処理水の一部を排水ポンプ４が吸い込むことによって、ライン１５、紫外線照射装置３およびライン２０，２１を通して流れる被処理水（バラスト水）の流量を確保することができる。すなわちバラスト水の処理能力を確保することができる。
【０１５２】
また、ＵＶランプ１４２の点灯処理時あるいは、ＵＶランプ１４２の点灯処理を開始するよりも前に濾過装置２のフィルタ６１の洗浄を行なうことによって、ＵＶランプ１４２の点灯処理が完了するとすぐに被処理水の処理を行なうことができる。これによって、バラスト水処理装置１０１の起動時間を短くすることができる。
【０１５３】
図１７は、図１１のステップＳ１０５およびステップＳ１０６の処理を説明するための図である。図１７を参照して、バラストタンク５へのバラスト水の供給が停止される。たとえば操作者がバラストタンク５の水位を確認して、ＢＷＭＳストップボタン１２８を押す。これにより、制御装置１１１にバラスト水の供給を停止するための指示が送られる。制御装置１１１は、この指示に応じて、バルブ４０，４４を閉じる一方でバルブ４１を開く。これによって、ステップＳ１０４の処理（図１４参照）と同様に、紫外線照射装置３を通過した被処理水は、ライン２２を通り、海へと戻される。さらに、制御装置１１１は紫外線照射装置３のＵＶランプ１４２を消灯させる。ＵＶランプ１４２の消灯後も紫外線照射装置３に被処理水を通過させる。これによってＵＶランプ１４２を冷却する効果を得ることができる。
【０１５４】
図１８は、図１１のステップＳ１０７の処理の一部を説明するための図である。図１８を参照して、制御装置１１１は、バルブ３４を閉じるとともにバルブ３５を開く。これによって、ステップＳ１０２の処理（図１３参照）と同様に、濾過装置２に流入した被処理水は、紫外線照射装置３には送られずに海へと戻される。
【０１５５】
濁質がフィルタ６１に付着したままの状態で船舶が移動すると、船舶の寄港地においてフィルタ６１に付着した濁質が洗浄されて、船舶の寄港地の海域に排出されることが起こり得る。その濁質の中に含まれる微生物が、船舶の寄港地の海域の生態系に影響を及ぼすことも考えられる。１つの実施の形態では、ステップＳ１０１，Ｓ１０２の処理と同様に、フィルタ６１を洗浄する。これにより、濁質がフィルタ６１に付着したままの状態で船舶が移動することを防ぐことができる。
【０１５６】
図１９は、図１８に示す処理に続く処理を説明するための図である。図１９を参照して、制御装置１１１は排水ポンプ４を停止させる。さらに、制御装置１１１は、バルブ３６を閉じる。これによって、ステップＳ１０１の処理（図１２を参照）と同様に、濾過装置２は、被処理水を濾過することなくライン１６から被処理水を排水する。その後にステップＳ１０８の処理が実行されて、バラストポンプ１が停止する。これにより、取水時の処理（Ｂａｌｌａｓｔモードの処理）が終了する。
【０１５７】
３．ＢＷＭＳモードでの処理（Ｄｅ−Ｂａｌｌａｓｔモード）
図２０は、本発明の実施の形態に係る、バラスト水の排水時の処理を説明するフローチャートである。図１および図２０を参照して、バラスト水の排水時の処理の概要を説明する。
【０１５８】
まずステップＳ２０１において、バラスト水処理装置１０１は、バラストポンプ１の駆動を開始させる。バラストタンク５に貯留しているバラスト水がバラストポンプ１によってバラスト水処理装置１０１を循環するようにバルブが制御される。
【０１５９】
ステップＳ２０２において、ＵＶランプ１４２の点灯が開始される。ＵＶランプ１４２の点灯が完了すると、ステップＳ２０３において、バラスト水の排水が開始される。バラスト水はバラストタンク５から取り出されて、紫外線照射装置３に送られる。バラスト水に紫外線が照射された後、バラスト水が海に排出される。
【０１６０】
ステップＳ２０４において、バラスト水処理装置１０１は、バラスト水を再び循環させる。さらに、バラスト水処理装置１０１は、ＵＶランプ１４２を消灯する。バラスト水の循環は所定の時間実行される。
【０１６１】
ステップＳ２０５において、バラスト水処理装置１０１は、バラストポンプ１を停止する。これにより処理が終了する。
【０１６２】
この実施の形態では、一旦、バラスト水に紫外線を照射してからバラスト水を海に排出する。上記のように、バラスト水の取水時に、微生物の殺滅のためにバラスト水に紫外線が照射される。しかし、バラスト水の取水時に、水中の微生物を完全に殺滅できていない可能性も考えられる。この実施の形態では、海にバラスト水を排出する直前に、バラスト水に紫外線を照射する。これにより、海に排出されるバラスト水が海域の生態系に影響を与えることを防ぐ効果がより高められる。
【０１６３】
なお、取水時に、被処理水に濾過処理が施されることで、被処理水から大きな異物は取り除かれている。したがってこの実施の形態では、バラスト水の排水時には濾過処理は省略される。
【０１６４】
図２１は、図２０のステップＳ２０１，Ｓ２０２の処理を説明するための図である。図２１を参照して、制御装置１１１は、バラストポンプ１の駆動を開始する。
【０１６５】
さらに制御装置１１１は、バルブ４４，４２，３３，４０を開状態に設定する一方で、他のバルブを閉状態にする。バラストタンク５内のバラスト水は、バラストポンプ１によって汲み上げられて、ライン２３，１１を通る。さらに、バラストポンプ１から汲み上げられたバラスト水は、ライン２１，２３，１１，１２，１４，１５，１９，２０を通って循環する。すなわち、ライン２１，２３，１１，１２，１４，１５，１９，２０は、バラスト水が循環しかつ紫外線照射装置３のＵＶランプ１４２からの紫外線を受けるための循環経路を形成する。
【０１６６】
濾過装置２を迂回する経路（ライン１４）にバラスト水を通すことで、濾過装置２による濾過を不要とすることができる。したがって、バラスト水の排出時の処理を簡素化することができる。
【０１６７】
さらに制御装置１１１は、紫外線照射装置３のＵＶランプ１４２を点灯させる。紫外線照射装置３に被処理水を通すことでＵＶランプ１４２を冷却することができる。これにより、通電状態にあるＵＶランプ１４２の過熱を抑えることができる。
【０１６８】
図２２は、排水時におけるＵＶランプの点灯処理を説明するための図である。図２２を参照して、時刻ｔ１１において、バラスト水処理装置１０１の内部でバラスト水の循環が開始される。制御装置１１１は、ＵＶランプ１４２に最大電力を供給するようにランプ電源１４３を制御する。すなわち、制御装置１１１は、ＵＶランプ１４２の最大電力に対するＵＶランプ１４２の供給電力の割合を１００％に設定して、その割合（つまり１００％）をランプ電源１４３に指定する。
【０１６９】
時刻ｔ１２において、ＵＶランプ１４２に供給される電力が最大電力に達する。制御装置１１１は、時刻ｔ１２から、バラスト水処理装置を動作可能な状態に設定する。これにより紫外線の照射処理が可能になるまでに要する時間を短くすることができる。ＵＶランプ１４２に供給される電力をＵＶランプ１４２にとっての最大電力とすることで、バラスト水への紫外線の照射量を上げることができる。したがって、ＵＶランプ１４２の点灯開始から短時間で、紫外線の照射処理を開始することができる。
【０１７０】
バラストタンク５からバラスト水の汲み上げを開始した直後においては、バラスト水の濁度が一時的に高くなる可能性がある。たとえばバラストタンク５に沈殿した沈殿物が巻き上げられることによって、バラスト水の濁度が一時的に高くなることが考えられる。このような場合、バラスト水への紫外線の照射量を十分とするために、たとえば直線Ｌ１に示されるように、ＵＶランプ１４２に最大電力が供給される。すなわち、時刻ｔ１２以後、ある程度の長さの時間にわたり、ＵＶランプ１４２に最大電力が供給される状態が継続される。
【０１７１】
その後、バラスト水の濁度が低下すると、制御装置１１１は、ＵＶランプ１４２に供給される電力が次第に低下するようにランプ電源１４３を制御する。
【０１７２】
あるいは、被処理水の濁度がそれほど大きくない場合、曲線Ｌ２に示されるように、制御装置１１１は、ランプ電源１４３を制御する。すなわち、制御装置１１１は、ＵＶランプ１４２の供給電力が最大電力に達した後、ＵＶランプ１４２の供給電力が徐々に低下するように、ランプ電源１４３を制御する。この場合には図１５の場合と同様に、ＵＶランプ１４２の照度は、ピークに一旦達し、その後、徐々に低下する。
【０１７３】
ＵＶランプ１４２の点灯処理の間は、バラスト水が循環経路を通ることで、バラスト水処理装置１０１からバラスト水が排出されない。ＵＶランプ１４２の点灯処理が完了して、紫外線の照射量が十分な状態で、バラスト水は紫外線を受けるとともにバラスト水処理装置１０１から排出される。これによって、バラスト水中に含まれる微生物を殺滅する効果を高めることができる。
【０１７４】
図２３は、図２１のステップＳ２０３の処理を説明するための図である。図２３を参照して、制御装置１１１は、バルブ４１を開状態に設定する一方で、バルブ４０を閉状態に設定する。これにより、バラスト水は紫外線照射装置３を通過する際に紫外線が照射される。その後、バラスト水はライン２２を通り海に排出される。
【０１７５】
ライン２１，２３，１１，１２，１４，１５，１９，２２は、バラスト水を貯留するバラストタンク５からバラスト水を排出するための排出経路を形成する。バラスト水が排出経路を通ってバラストタンク５から排出される際に、紫外線照射装置３が紫外線をバラスト水に照射する。これによりバラスト水中の微生物を殺滅することができる。
【０１７６】
バルブ４０，４１の一方を開くとともに他方を閉じることで循環経路と排出経路との間の切換えが行なわれる。バルブ４０，４１は、バラスト水の流れる経路を循環経路と排出経路との間で切換えるための切換部を構成する。また、循環経路と排出経路との間では、ライン２１，２３，１１，１２，１４，１５，１９によって形成される経路が共通である。図７に示されるように、ＵＶランプ１４２はライン１５とライン１９との間に配置される。すなわちＵＶランプ１４２は、排出経路および循環経路に共通する経路に設けられる。
【０１７７】
図２４は、図２１のステップＳ２０４の処理を説明するための図である。図２４を参照して、制御装置１１１は、バルブ４０を開状態に設定する一方で、バルブ４１を閉状態に設定する。これにより、バラスト水は、再びバラスト水処理装置１０１の循環経路を通る。
【０１７８】
さらに、制御装置１１１は、紫外線照射装置３のＵＶランプ１４２を消灯させる。ＵＶランプ１４２の消灯後にも紫外線照射装置３に被処理水を通過させる。これによってＵＶランプ１４２を冷却する効果を得ることができる。その後、ステップＳ２０５において、制御装置１１１はバラストポンプ１を停止させる。
【０１７９】
４．バイパスモードでの処理（バラスト水の取水）
バイパスモードでは、バラスト水処理装置１０１を経由せずにバラスト水の取水および排出が行なわれる。図２５は、バイパスモードでのバラスト水の取水を説明するための図である。図２５を参照して、制御装置１１１は、バルブ３１，４３，４０，４４を開状態に設定し、他のバルブを閉状態に設定する。次に制御装置１１１はバラストポンプ１の駆動を開始する。
【０１８０】
海水はライン１０，１１を通り、バラストポンプ１によって汲み上げられる。バラストポンプ１から吐出された海水は、ライン１２，２４，２０，２１を通り、バラストタンク５に送られる。
【０１８１】
５．バイパスモードでの処理（バラスト水の排水）
図２６は、バイパスモードでのバラスト水の排水を説明するための図である。図２６を参照して、制御装置１１１は、バルブ４１，４２，４３，４４を開状態に設定し、他のバルブを閉状態に設定する。次に制御装置１１１はバラストポンプ１の駆動を開始する。
【０１８２】
バラストポンプ１によって、バラスト水は、バラストタンク５から汲み上げられ、ライン２３，１１を通る。バラストポンプ１から吐出された海水は、ライン１２，２４，２２を通り、海に排出される。
【０１８３】
なお、図１８、図１９を参照して既に説明したように、ＢＷＭＳモードでは、バラスト水をバラストタンク５に積み込んだ後に濾過装置２のフィルタ６１が洗浄される。１つの実施の形態では、被処理水（バラストポンプ１によって汲み上げられた海水）をフィルタ６１の外周面に噴出させることでフィルタ６１が洗浄される。このような洗浄に加えて、フィルタ６１の逆洗浄を行なってもよい。
【０１８４】
図２７は、濾過装置２のフィルタ６１の逆洗浄を行なうための１つの構成例を示した図である。図２７を参照して、逆洗浄装置２Ａは、洗浄水タンク６８と、バルブ３７，３８と、配管によって実現されるライン２５，２６，２７とを含む。
【０１８５】
次に、逆洗浄方法について説明する。まず、洗浄水の準備を行なう。濾過処理において、バルブ３２，３５，３４は開状態に設定され、バルブ３３，３７は閉状態に設定される。洗浄水タンク６８の上部には、圧力開放のためのバルブ３８がライン２６に設けられる。このバルブ３８を開状態に設定する。さらに、ライン１５から分岐されたライン２５にバルブ３７が設けられる。バルブ３７を開状態にすると、濾過装置２からの濾過水が洗浄水タンク６８に流入して、洗浄水タンク６８の中に貯留される。洗浄水が必要量貯留すれば、バルブ３７が閉状態とされる。なお、洗浄水には濾過水を利用するものと限定されず、たとえば水道水等を洗浄水タンク６８に導入することもできる。
【０１８６】
洗浄水が準備できると、フィルタ６１の逆洗浄が行なわれる。バルブ３２，３３，３５を閉状態に設定して、通常の濾過処理を停止する。バルブ３７を開状態に設定し、バルブ３８を閉状態に設定する。したがって、濾過装置２のケース６３と、洗浄水タンク６８とがライン１５で連結され、かつ他の流路の全てが閉じられた状態である。ここで、加圧配管２７に圧縮空気等を流し込んで洗浄水を加圧する。バルブ３７を閉じた状態で先浄水を加圧してから、バルブ３７を開いてもよい。ケース６３、ライン１５および洗浄水タンク６８の全体の内部が加圧された状態に保持される。
【０１８７】
次に、バルブ３５が開放される（開状態にされる）。すると、洗浄水が洗浄水タンク６８からライン１５を通り、フィルタ６１を透過する。この先浄水は、ケース６３からライン１６を通り、外部に一気に排出される。すなわち、濾過膜であるフィルタ６１に対して、濾過するときの水の流れの向きとは逆の向きに、洗浄水が短時間に流れる。洗浄水は、濾過水流路６４を流れて、中心配管８０の取水穴８１から噴出する。この洗浄水は、フィルタ６１の内周面からフィルタ６１の外周面に向けてフィルタ６１を通過する。これにより、フィルタ６１の外周面に付着等していた物質がフィルタ６１の外周面から剥がされてフィルタ６１が洗浄される。
【０１８８】
以上の動作によって、洗浄水タンク６８に貯留された洗浄水が加圧により逆洗浄に用いられた後は、バルブ３２，３４，３５を開状態に設定し、バルブ３３，３７を閉状態に設定して、濾過装置２に通常の濾過処理を行なわせる。この際、バルブ３７，３８を開けることで、再び洗浄水を洗浄水タンク６８に貯留することができるので、洗浄動作を繰り返すことが可能となる。
【０１８９】
なお、洗浄動作においてモータ９０は停止してもよい。ただしフィルタ６１を回転させた状態でフィルタ６１の逆洗浄を行なうことで、より高い洗浄効果が得られるため好ましい。これは円筒状かつプリーツ状のフィルタ６１の外周面に付着した物質に、円筒内部からの洗浄水の圧力に加えて、円筒の回転による遠心力が印加されるため、濾過物が一層除去されやすくなるためである。このように、回転状態でフィルタ６１の逆洗浄を行なうことで、フィルタ６１を効果的に洗浄することができる。さらには、回転にフィルタ６１全体の振動が加わっても、フィルタ６１の洗浄効果が高まることが期待できる。
【０１９０】
さらに、薬液を用いてフィルタ６１の洗浄を行なってもよい。図４および図２７に示されるように、ケース６３の蓋部には、薬液注入口７０が設けられている。フィルタ６１の逆洗浄を行なうことで、濾過装置２を長期間にわたり運転することができる。しかしながら、このような機械的な洗浄では落とすことができずにフィルタ６１の表面に徐々に堆積してゆく物質があり得る。薬液による洗浄を併用することで、フィルタ６１の寿命を延ばすことができる。
【０１９１】
このような薬液注入口を用いて、次の手順で薬液洗浄を行うことができる。まず、濾過運転および逆洗浄の動作を停止する。なお、フィルタ６１は停止してもよく、回転状態でもよい。バルブの全てを閉状態に設定して、ケース６３の内部を、被処理水または濾過水が残留し、フィルタ６１が水に浸漬された状態に保持する。この状態で、薬液注入口７０から洗浄用の薬液を注入する。
【０１９２】
フィルタ６１が既に回転状態にある場合はそのまま回転状態を維持する。一方、フィルタ６１が停止状態にある場合は、モータ９０を回転させることで、フィルタ６１を回転状態とする。回転するフィルタ６１の全体に薬液が拡がり、フィルタ６１の外周面が十分洗浄されるまで、この状態を一定時間保持する。その後、バルブ３５を開いて、ケース６３の内部の水（薬液を含む）を排水する。なお、使用する薬液に応じて、排水の前に中和液をさらに注入したり、排水後に中和等の処理を行なったりしてもよい。
【０１９３】
以上のように、この発明の実施の形態によれば、バラスト水処理装置１０１は、バラスト水を貯留するバラストタンク５からバラスト水を排出するための排出経路と、排出経路を通るバラスト水に紫外線を照射する紫外線照射装置３とを備える。このような構成によれば、バラスト水が排出経路を通ってバラストタンク５から排出される際に、紫外線照射装置３が紫外線をバラスト水に照射する。これによりバラスト水中の微生物を殺滅することができる。バラスト水を排出する直前にバラスト水の浄化処理を行なうことができるので、海域の生態系に影響を与える可能性を、より確実に低減することができる。
【０１９４】
なお、この実施の形態では、制御装置１１１，１１２は、バラスト水管理システム１００の制御だけでなく、操作者によるバラスト水管理システム１００の動作モードの設定が可能な装置として構成される。しかしながら、設定装置の数が複数であり、バラスト水管理システム１００の制御装置は１つであってもよい。すなわち、その１つの制御装置が複数の設定装置での設定を受けるようにバラスト水管理システムが構成されていてもよい。このような実施の形態では、制御装置は複数の設定装置の間でバラスト水管理システム１００の動作モードの設定が一致する場合に、その動作モードでバラスト水管理システム１００が動作することを許可する。このような構成でも、操作者の意図しない動作モードでバラスト水管理システム１００が動作することを防止することができる。なおかつ、複数の設定装置を分散して船舶に配置することによって、操作者は、自身の近くに配置された設定装置を利用することができる。したがって操作者の利便性を高めることができる。
【０１９５】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９６】
１  バラストポンプ、２  濾過装置、２Ａ  逆洗浄装置、３  紫外線照射装置、４  排水ポンプ、５  バラストタンク、１０〜２７  ライン、２７  加圧配管、３１〜３６，４０〜４４  バルブ、５１，５２，５３，５２，５４  流量計、６１  フィルタ、６２  被処理水ノズル、６３，１４１  ケース、６４  濾過水流路、６５  排出流路、６６  被処理水流路、６７  ノズル口、６８  洗浄水タンク、７０  薬液注入口、７１  外筒部、７２  蓋部、７３  底部、８０  中心配管、８１  取水穴、９０  モータ、９１  モータカバー、１００  バラスト水管理システム、１０１  バラスト水処理装置、１０２  バイパスシステム、１１１，１２２  制御装置、１２１，１３１  表示パネル、１２２  バイパスランプ、１２３  ＢＷＭＳイネーブルランプ、１２４，１３２  動作モードスイッチ、１２５  処理モードスイッチ、１２６，１３３  ＢＷＭＳ準備ランプ、１２７  ＢＷＭＳスタートボタン、１２８  ＢＷＭＳストップボタン、１２９，１３５  非常停止ボタン、１３４  スタートボタン、１４２  ＵＶランプ、１４３  ランプ電源、１４４ａ〜１４４ｃ  照度センサ、Ｃ  軸線、Ｌ１  直線、Ｌ２  曲線。
【図１】
2014227064.tif 000003
【図２】
2014227064.tif 000004
【図３】
2014227064.tif 000005
【図４】
2014227064.tif 000006
【図５】
2014227064.tif 000007
【図６】
2014227064.tif 000008
【図７】
2014227064.tif 000009
【図８】
2014227064.tif 000010
【図９】
2014227064.tif 000011
【図１０】
2014227064.tif 000012
【図１１】
2014227064.tif 000013
【図１２】
2014227064.tif 000014
【図１３】
2014227064.tif 000015
【図１４】
2014227064.tif 000016
【図１５】
2014227064.tif 000017
【図１６】
2014227064.tif 000018
【図１７】
2014227064.tif 000019
【図１８】
2014227064.tif 000020
【図１９】
2014227064.tif 000021
【図２０】
2014227064.tif 000022
【図２１】
2014227064.tif 000023
【図２２】
2014227064.tif 000024
【図２３】
2014227064.tif 000025
【図２４】
2014227064.tif 000026
【図２５】
2014227064.tif 000027
【図２６】
2014227064.tif 000028
【図２７】
2014227064.tif 000029